(57)【要約】【課題】信頼性の高いファクシミリ通信を容易に実現することのできるファクシミリ装置、ファクシミリ通信プログラムを提供する。【解決手段】ファクシミリ送信を行う際にファクシミリ送信を行なっている回線の送信状態の良好／不良を判断し、不良と判断した場合は他の回線に切り替えてファクシミリ再送信を行う。通信パラメータを複数有し、ファクシミリ通信に使用する回線に最適な通信パラメータを選択する。複数の自局電話番号から任意の番号を選出し、任意で選択した回線を介して発呼を行い、他の回線を介する着呼がある場合は当該番号は当該回線に該当する自局電話番号と判別し、また、他の回線を介する着呼がない場合は当該番号は任意で選択した回線に該当する自局電話番号と判別する。【選択図】図１
2008187239.tif 000002
【特許請求の範囲】
【請求項１】
複数の通信回線と接続する接続手段と、
前記接続手段を介してファクシミリ通信を行うファクシミリ通信手段と、
前記ファクシミリ通信に使用している通信回線の通信状態の判断基準を設定する判断基準設定手段と、
前記判断基準設定手段で設定した判断基準に基づいて前記ファクシミリ通信に使用されている通信回線の通信状態を判断する通信状態判断手段と、
前記ファクシミリ通信に使用する通信回線を選択するための選択条件を設定する選択条件設定手段と、
前記送信状態判断手段が前記通信状態を不良と判断した場合、前記選択条件設定手段で設定した選択条件に基づいて該通信状態が不良と判断された通信回線以外の通信回線を選択する通信回線選択手段と
を具備することを特徴とするファクシミリ装置。
【請求項２】
複数の通信回線と接続する接続手段と、
前記接続手段を介してファクシミリ通信を行うファクシミリ通信手段と、
前記ファクシミリ通信に使用する通信回線を選択する通信回線選択手段と、
前記ファクシミリ通信に用いられる通信パラメータを記憶する通信パラメータ記憶手段と、
前記通信回線選択手段で選択した前記ファクシミリ通信に使用する通信回線の通信状態が良好と成るのに適した通信パラメータを設定する通信パラメータ設定手段と
を具備することを特徴とするファクシミリ装置。
【請求項３】
前記通信パラメータは、
アナログ公衆電話網でアナログファクシミリ通信を行うためのアナログ用通信パラメータ、またはＩＰデジタル網でデジタルファクシミリ通信を行うためのデジタル用通信パラメータである
ことを特徴とする請求項２記載のファクシミリ装置。
【請求項４】
複数の通信回線と接続する接続手段と、
各通信回線に該当する自局番号を登録する自局番号登録手段と、
前記通信回線を介して前記自局番号登録手段に登録されている自局番号に発呼し、該発呼に対応する着呼の有無に基づいて該自局番号に該当する通信回線を判別する自局回線判別手段と
を具備することを特徴とするファクシミリ装置。
【請求項５】
複数の通信回線と接続するファクシミリ装置に内蔵されたコンピュータに、
ファクシミリ通信に使用している通信回線の通信状態の判断基準を設定する判断基準設定処理と、
前記判断基準設定処理で設定した判断基準に基づいて前記ファクシミリ通信に使用されている通信回線の通信状態を判断する通信状態判断処理と、
ファクシミリ通信に使用する通信回線を選択するための選択条件を設定する選択条件設定処理と、
前記通信状態判断処理において前記通信状態を不良と判断した場合、前記選択条件設定処理で設定した選択条件に基づいて該通信状態が不良と判断された通信回線以外の通信回線を選択する通信回線選択処理と
を実行させることを特徴とするファクシミリ通信プログラム。
【請求項６】
複数の通信回線と接続するファクシミリ装置に内蔵されたコンピュータに、
ファクシミリ通信に使用する通信回線を選択する通信回線選択処理と、
通信パラメータ記憶装置に記憶されている前記ファクシミリ通信に用いられる通信パラメータから、前記通信回線選択処理で選択したファクシミリ通信に使用する通信回線の通信状態が良好と成るのに適した通信パラメータを設定する通信パラメータ設定処理と
を実行させることを特徴とするファクシミリ通信プログラム。
【請求項７】
前記通信パラメータは、
アナログ公衆電話網でアナログファクシミリ通信を行うためのアナログ用通信パラメータ、またはＩＰデジタル網でデジタルファクシミリ通信を行うためのデジタル用通信パラメータである
ことを特徴とする請求項６記載のファクシミリ通信プログラム。
【請求項８】
複数の通信回線と接続するファクシミリ装置に内蔵されたコンピュータに、
各通信回線に該当する自局番号を登録する自局番号登録処理と、
前記通信回線を介して前記登録されている自局番号に発呼し、該発呼に対応する着呼の有無に基づいて該自局番号に該当する通信回線を判別する自局回線判別処理と
を実行させることを特徴とするファクシミリ通信プログラム。
【発明の詳細な説明】
【技術分野】
【０００１】
本発明は、ファクシミリ装置、ファクシミリ通信プログラムに関する。
【背景技術】
【０００２】
近年、複数の回線（例えば、アナログ網、ＩＳＤＮ、ＩＰデジタル網）と接続するファクシミリ装置が登場している。この複数の回線を用途に応じて使い分ける技術が提案されている（例えば、特許文献１、特許文献２、特許文献３および特許文献４参照。）。
【特許文献１】特開２００２−７７３０７号公報
【特許文献２】特開２００２−２６９６９号公報
【特許文献３】特開２００１−２３０８６２号公報
【特許文献４】特開２００２−１４１９３８号公報
【発明の開示】
【発明が解決しようとする課題】
【０００３】
本発明は、信頼性の高いファクシミリ通信を容易に実現することのできるファクシミリ装置、ファクシミリ通信プログラムを提供することを目的とする。
【課題を解決するための手段】
【０００４】
上記目的を達成するため、請求項１の発明は、複数の通信回線と接続する接続手段と、前記接続手段を介してファクシミリ通信を行うファクシミリ通信手段と、前記ファクシミリ通信に使用している通信回線の通信状態の判断基準を設定する判断基準設定手段と、前記判断基準設定手段で設定した判断基準に基づいて前記ファクシミリ通信に使用されている通信回線の通信状態を判断する通信状態判断手段と、前記ファクシミリ通信に使用する通信回線を選択するための選択条件を設定する選択条件設定手段と、前記送信状態判断手段が前記通信状態を不良と判断した場合、前記選択条件設定手段で設定した選択条件に基づいて該通信状態が不良と判断された通信回線以外の通信回線を選択する通信回線選択手段とを具備することを特徴とする。
【０００５】
また、請求項２の発明は、複数の通信回線と接続する接続手段と、前記接続手段を介してファクシミリ通信を行うファクシミリ通信手段と、前記ファクシミリ通信に使用する通信回線を選択する通信回線選択手段と、前記ファクシミリ通信に用いられる通信パラメータを記憶する通信パラメータ記憶手段と、前記通信回線選択手段で選択した前記ファクシミリ通信に使用する通信回線の通信状態が良好と成るのに適した通信パラメータを設定する通信パラメータ設定手段とを具備することを特徴とする。
【０００６】
また、請求項３の発明は、請求項２の発明において、前記通信パラメータは、アナログ公衆電話網でアナログファクシミリ通信を行うためのアナログ用通信パラメータ、またはＩＰデジタル網でデジタルファクシミリ通信を行うためのデジタル用通信パラメータであることを特徴とする。
【０００７】
また、請求項４の発明は、複数の通信回線と接続する接続手段と、各通信回線に該当する自局番号を登録する自局番号登録手段と、前記通信回線を介して前記自局番号登録手段に登録されている自局番号に発呼し、該発呼に対応する着呼の有無に基づいて該自局番号に該当する通信回線を判別する自局回線判別手段とを具備することを特徴とする。
【０００８】
また、請求項５の発明は、複数の通信回線と接続するファクシミリ装置に内蔵されたコンピュータに、ファクシミリ通信に使用している通信回線の通信状態の判断基準を設定する判断基準設定処理と、前記判断基準設定処理で設定した判断基準に基づいて前記ファクシミリ通信に使用されている通信回線の通信状態を判断する通信状態判断処理と、ファクシミリ通信に使用する通信回線を選択するための選択条件を設定する選択条件設定処理と、前記通信状態判断処理において前記通信状態を不良と判断した場合、前記選択条件設定処理で設定した選択条件に基づいて該通信状態が不良と判断された通信回線以外の通信回線を選択する通信回線選択処理とを実行させることを特徴とする。
【０００９】
また、請求項６の発明は、複数の通信回線と接続するファクシミリ装置に内蔵されたコンピュータに、ファクシミリ通信に使用する通信回線を選択する通信回線選択処理と、通信パラメータ記憶装置に記憶されている前記ファクシミリ通信に用いられる通信パラメータから、前記通信回線選択処理で選択したファクシミリ通信に使用する通信回線の通信状態が良好と成るのに適した通信パラメータを設定する通信パラメータ設定処理とを実行させることを特徴とする。
【００１０】
また、請求項７の発明は、請求項６の発明において、前記通信パラメータは、アナログ公衆電話網でアナログファクシミリ通信を行うためのアナログ用通信パラメータ、またはＩＰデジタル網でデジタルファクシミリ通信を行うためのデジタル用通信パラメータであることを特徴とする。
【００１１】
また、請求項８の発明は、複数の通信回線と接続するファクシミリ装置に内蔵されたコンピュータに、各通信回線に該当する自局番号を登録する自局番号登録処理と、前記通信回線を介して前記登録されている自局番号に発呼し、該発呼に対応する着呼の有無に基づいて該自局番号に該当する通信回線を判別する自局回線判別処理とを実行させることを特徴とする。
【発明の効果】
【００１２】
請求項１および５に記載の発明は、本構成を有しない場合に比較して、通信不具合の発生時に安定した回線に切り替えることで、ファクシミリ通信の信頼性を確保することが可能となる。
【００１３】
また、請求項２および６に記載の発明は、本構成を有しない場合に比較して、通信網特有の特性に最適なファクシミリ通信を行うことが可能となる。
【００１４】
また、請求項３および７に記載の発明は、本構成を有しない場合に比較して、アナログ公衆電話網とＩＰデジタル網とでユーザの意図に沿った使い分けを行うことが可能となる。
【００１５】
また、請求項４および８に記載の発明は、本構成を有しない場合に比較して、複数の自局電話番号を登録するだけで、自局電話番号に該当する通信回線を判別することが可能となる。
【発明を実施するための最良の形態】
【００１６】
以下、本発明に係るファクシミリ装置、ファクシミリ通信プログラムの実施の形態について添付図面を参照して詳細に説明する。
【００１７】
図１は、本発明に係るファクシミリ装置１の機能的な構成の一例を示すブロック図である。
【００１８】
図１に示すように、ファクシミリ装置１は、複数のモジュラコネクタ２（本実施例では２個のモジュラコネクタ）、スキャナモジュール部３、プリンタモジュール部４、画像記憶部５、Ｃｏｄｅｃ／解像度変換部６、ＦＡＸ  Ｍｏｄｅｍ７、通信パラメータ設定部８、網制御部９、自局回線判別部１０、回線切替部１１、回線選択条件設定部１２、回線選択部１３、送信状態判断基準設定部１４、送信状態判断部１５、着信検知部１６を具備して構成される。
【００１９】
スキャナモジュール部３は、ファクシミリ送信する原稿を光学的に読み取る処理を行う。なお、読み取った画像は画像記憶部５に記憶される。
【００２０】
プリンタモジュール部４は、ファクシミリ受信で画像を受信した際に画像記憶部５に記憶された画像を用紙に印刷する処理を行う。
【００２１】
Ｃｏｄｅｃ／解像度変換部６は、画像の符号化／復号化および解像度変換を行う。なお、ファクシミリ送信時はスキャナモジュール部３で読み取った画像の符号化および解像度変換を行い、ファクシミリ受信時はＦＡＸ  Ｍｏｄｅｍ７で音声信号から変換された画像の復号化および解像度変換を行う。
【００２２】
ＦＡＸ  Ｍｏｄｅｍ７は、ファクシミリ通信（送信および受信）の機能を有するモデムである。なお、ファクシミリ送信時はＣｏｄｅｃ／解像度変換部６で符号化した画像を音声信号に変換して送信する処理を行い、ファクシミリ受信時は網制御部９で受信した音声信号を画像に変換する処理を行う。
【００２３】
通信パラメータ設定部８は、ＦＡＸ  Ｍｏｄｅｍ７が行うファクシミリ通信に用いられる通信パラメータを設定する処理を行う。なお、通信パラメータを複数有する場合、ファクシミリ通信に使用する回線に最適な通信パラメータを選択して設定する。
【００２４】
網制御部９は、回線経由の音声信号の送受信を行う。
【００２５】
自局回線判別部１０は、後述にて説明する自局回線判別処理を行う。
【００２６】
回線切替部１１は、ファクシミリ装置に接続する複数の回線からファクシミリ通信に使用する回線を切り替える処理を行う。なお、本実施例では、ファクシミリ装置は回線１と回線２に接続しているので、回線切替部１１は回線１と回線２の切り替えを行う。
【００２７】
回線選択条件設定部１２は、ファクシミリ通信に使用する回線の選択条件を設定する処理を行う。選択条件として、例えば、優先順位、禁止／可能条件等またはこれらの組み合わせが挙げられる。
【００２８】
回線選択部１３は、回線選択条件設定部１２に設定されている回線の選択条件に従って、ファクシミリ通信に使用する回線を選択する処理を行う。なお、回線切替部１１は回線選択部１３の選択に従って回線の切り替えを行う。
【００２９】
送信状態判断基準設定部１４は、ファクシミリ送信を行っている回線の送信状態の判断基準を設定する処理を行う。判断基準として、例えば、再送回数、通信速度、遅延時間、データエラー率等またはこれらの組み合わせが挙げられる。なお、判断基準の設定を回線毎に異なる値にしても良い。
【００３０】
送信状態判断部１５は、送信状態判断基準設定部１４に設定されている判断基準に基づいてファクシミリ送信を行っている回線の送信状態を判断する処理を行う。
【００３１】
着信検知部１６は、各回線におけるファクシミリ受信の着信を検知する処理を行う。
【００３２】
なお、上述した通信パラメータ設定部８、自局回線判別部１０、回線選択条件設定部１２、回線選択部１３、送信状態判断基準設定部１４、送信状態判断部１５を機能として具備するプログラム（本発明に係るファクシミリ通信プログラムに相当）を汎用のファクシミリ装置に組み込んだ構成を適用することも可能であり、その際には、ファクシミリ装置の記憶部（例えば、ハードディスク等）にファクシミリ通信プログラムが記憶され、ファクシミリ装置の演算部（例えば、ＣＰＵ等）が記憶部に記憶されているファクシミリ通信プログラムを実行することになる。
【００３３】
本発明に係るファクシミリ装置１は、ファクシミリ送信を行う際にファクシミリ送信を行なっている回線の送信状態の良好／不良を判断し、不良と判断した場合は他の回線に切り替えてファクシミリ再送信を行うことを特徴とする。
【００３４】
ファクシミリ装置が行うファクシミリ送信状態に基づいた回線の切替の処理手順について図２に示すフローチャートを参照して説明する。
【００３５】
ファクシミリ装置はファクシミリ送信の指示を受け付けると（Ｓ２０１）、回線選択部は回線選択条件設定部で設定されている選択条件に従ってファクシミリ送信に使用する回線を選択し（Ｓ２０２）、ＦＡＸ  Ｍｏｄｅｍは、選択した回線を使用したファクシミリ送信を開始し（Ｓ２０３）、送信状態判断部は送信状態判断基準設定部に設定されている判断基準に基づいてファクシミリ送信を行っている回線の送信状態を判断する（Ｓ２０４）。
【００３６】
送信状態判断部が送信状態は良好と判断した場合（Ｓ２０５でＹＥＳ）、ＦＡＸ  Ｍｏｄｅｍはファクシミリ送信を継続し（Ｓ２０６）、処理を終了する。
【００３７】
また、送信状態判断部が送信状態は不良と判断した場合（Ｓ２０５でＮＯ）、ＦＡＸ  Ｍｏｄｅｍはファクシミリ送信を中断し（Ｓ２０７）、回線選択部は回線選択条件設定部で設定されている選択条件に従ってファクシミリ送信に使用する回線を選択する（Ｓ２０８）。
【００３８】
選択する回線が存在する場合（Ｓ２０９でＹＥＳ）、回線切替部は、選択する回線に切り替え（Ｓ２１０）、Ｓ２０３のステップに戻る。
【００３９】
また、選択する回線が存在しない場合（Ｓ２０９でＮＯ）、ファクシミリ送信エラーとして終了し（Ｓ２１１）、処理を終了する。
【００４０】
本発明に係るファクシミリ装置１は、通信パラメータを複数有し、ファクシミリ通信に使用する回線に最適な通信パラメータを選択することを特徴とする。これにより選択した回線に接続される通信網特有の特性に最適なファクシミリ通信を行うことが可能になる。なお、通信パラメータの設定はユーザによる手動設定または回線接続後の自動設定どちらで行われても良い。
【００４１】
ファクシミリ装置が行う回線に最適な通信パラメータの選択の処理手順について図３に示すフローチャートを参照して説明する。
【００４２】
ファクシミリ装置が電源ＯＮ等によって立ち上がった際に、回線選択部は初期設定の回線を選択し（Ｓ３０１）、ＦＡＸ  Ｍｏｄｅｍは初期設定の通信パラメータを設定する（Ｓ３０２）。
【００４３】
ファクシミリ受信を行う場合（Ｓ３０３でＮＯ）、着信検知部は着信回線を検知し（Ｓ３０４）、回線切替部は着信回線に切り替え（Ｓ３０５）、ＦＡＸ  Ｍｏｄｅｍは着信回線に適切な通信パラメータを設定し（Ｓ３０６）、ＦＡＸ  Ｍｏｄｅｍはファクシミリ受信を開始し（Ｓ３０７）、処理を終了する。
【００４４】
また、ファクシミリ送信を行う場合（Ｓ３０３でＹＥＳ）、ＦＡＸ  Ｍｏｄｅｍはファクシミリ送信を開始し（Ｓ３０８）、送信状態判断部は送信状態判断基準設定部に設定されている判断基準に基づいてファクシミリ送信を行っている回線の送信状態を判断する（Ｓ３０９）。
【００４５】
送信状態判断部が送信状態は良好と判断した場合（Ｓ３０９でＹＥＳ）、ＦＡＸ  Ｍｏｄｅｍはファクシミリ送信を継続し（Ｓ３１０）、処理を終了する。
【００４６】
また、送信状態判断部が送信状態は不良と判断した場合（Ｓ３０９でＮＯ）、ＦＡＸ  Ｍｏｄｅｍはファクシミリ送信を中断し（Ｓ３１１）、回線選択部は回線選択条件設定部で設定されている選択条件に従ってファクシミリ送信に使用する回線を選択する（Ｓ３１２）。
【００４７】
選択する回線が存在する場合（Ｓ３１３でＹＥＳ）、回線切替部は、選択する回線に切り替え（Ｓ３１４）、ＦＡＸ  Ｍｏｄｅｍは、選択する回線に適切な通信パラメータを設定し（Ｓ３１５）、Ｓ３０８のステップに戻る。
【００４８】
また、選択する回線が存在しない場合（Ｓ３１３でＮＯ）、ファクシミリ送信エラーとして終了し（Ｓ３１６）、処理を終了する。
【００４９】
なお、通信パラメータは、アナログ公衆電話網で交信するためのアナログファクシミリ通信用の通信パラメータ以外にも、ＩＰデジタル網で交信するためのデジタルファクシミリ通信用の通信パラメータも含んでいる。アナログファクシミリ通信用の通信パラメータと、デジタルファクシミリ通信用の通信パラメータがケーブルの長さ、遅延、送出レベル、通信速度、フォールバックレベルのいずれか１つ以上で異なる値を有している。
【００５０】
即ち、図４に示すように、ファクシミリ装置１がアナログファクシミリ通信を行うための回線１とデジタルファクシミリ通信を行うための回線２と接続する場合、デジタルファクシミリ通信はアナログファクシミリ通信と異なり、遅延、パケットロス等の障害を補正するための通信パラメータが必要となるため、回線２を使用してデジタルファクシミリ通信を行う際にはデジタルファクシミリ通信用の通信パラメータを設定して行うことができる。
【００５１】
本発明に係るファクシミリ装置１は、接続する回線の種類を自動判別するための自局回線判別処理を行うことを特徴とする。具体的には、各々の回線には該当する自局電話番号（例えば、アナログ回線の場合は「０３−ＸＸＸＸ−ＸＸＸＸ」、ＩＰデジタル網の場合は「０５０−ＸＸＸＸ−ＸＸＸＸ」）が付与され、ファクシミリ装置１にはこれらの自局電話番号が登録されている。ここで、複数の自局電話番号から任意の番号を選出し、任意で選択した回線を介して発呼を行い、他の回線（即ち、任意で選択した回線以外の回線）を介する着呼がある場合は当該番号は当該回線に該当する自局電話番号であり、また、他の回線（即ち、任意で選択した回線以外の回線）を介する着呼がない場合は当該番号は任意で選択した回線に該当する自局電話番号である。
【００５２】
ファクシミリ装置が行う自局回線判別処理の処理手順について図５に示すフローチャートを参照して説明する。
【００５３】
自局回線判別部は自局電話番号を任意で選択し（Ｓ５０１）、自局回線判別部は回線を任意で選択し（Ｓ５０２）、自局回線判別部は、選択した回線から、選択した自局電話番号に対して発呼を行う（Ｓ５０３）。
【００５４】
着呼がある場合（Ｓ５０４でＹＥＳ）、網制御部は着信処理を行い（Ｓ５０５）、自局回線判別部は着呼した回線が、発呼した自局電話番号に該当する回線であると判別し（Ｓ５０６）、発呼回線の判別処理（即ち、Ｓ５０７からＳ５０８までの処理）が済んでいない場合（Ｓ５０７でＮＯ）、Ｓ５０２のステップに戻り、また、発呼回線の判別処理が済んでいる場合（Ｓ５０７でＹＥＳ）、Ｓ５１０のステップに進む。
【００５５】
また、着呼がない場合（Ｓ５０４でＮＯ）、自局回線判別部は発呼した回線が、発呼した自局電話番号に該当する回線であると判別し（Ｓ５０８）、着呼回線の判別処理（即ち、Ｓ５０５からＳ５０６までの処理）が済んでいない場合（Ｓ５０９でＮＯ）、Ｓ５０２のステップに戻り、また、着呼回線の判別処理が済んでいる場合（Ｓ５０９でＹＥＳ）、Ｓ５１０のステップに進む。
【００５６】
そして、自局回線判別部は自局電話番号に該当する回線を設定し（Ｓ５１０）、未設定の自局電話番号が存在する場合（Ｓ５１１でＹＥＳ）、Ｓ５０１のステップに戻り、また、未設定の自局電話番号が存在しない場合（Ｓ５１１でＮＯ）、処理を終了する。
【図面の簡単な説明】
【００５７】
【図１】本発明に係るファクシミリ装置の機能的な構成の一例を示すブロック図である。
【図２】ファクシミリ装置が行うファクシミリ送信状態に基づいた回線の切替の処理手順を示すフローチャートである。
【図３】ファクシミリ装置が行う回線に最適な通信パラメータの選択の処理手順を示すフローチャートである。
【図４】アナログ公衆電話網とＩＰデジタル網とに接続するファクシミリ装置の一例を示す図である。
【図５】ファクシミリ装置が行う自局回線判別処理の処理手順を示すフローチャートである。
【符号の説明】
【００５８】
１    ファクシミリ装置
２    モジュラコネクタ
３    スキャナモジュール部
４    プリンタモジュール部
５    画像記憶部
６    Ｃｏｄｅｃ／解像度変換部
７    ＦＡＸ  Ｍｏｄｅｍ
８    通信パラメータ設定部
９    網制御部
１０    自局回線判別部
１１    回線切替部
１２    回線選択条件設定部
１３    回線選択部
１４    送信状態判断基準設定部
１５    送信状態判断部
１６    着信検知部
【図１】
2008187239.tif 000003
【図２】
2008187239.tif 000004
【図３】
2008187239.tif 000005
【図４】
2008187239.tif 000006
【図５】
2008187239.tif 000007